(57)【特許請求の範囲】
【請求項１】
スクリーンの先端をスクリーン枠に沿って摺動自在の可動框に着脱自在に固定するとともに、該スクリーンの基端を巻取りボックス内においてスプリングの付勢力で回転する巻取り軸に着脱自在に固定して、該スクリーンの開閉方向に沿う上下端部を上記スクリーン枠にガイドさせながら、該スクリーンを上記スプリングの付勢力で巻取り軸に巻取るようにした横引きの巻取り式スクリーン装置において、
上記スクリーン枠が枠本体と一対のインナーレールとを備えるものとし、該インナーレールに上記スクリーンの開閉方向に沿う上下端部をガイドさせるとともに、上記可動框の両端部を摺動自在に支持させ、
上記インナーレールを、上記枠本体内において、スクリーンの開閉操作に供する室外側の第１位置と、スクリーンの着脱を行う室内側の第２位置とに変位自在に構成し、
上記巻取りボックスに巻取り軸及びその支持部材を取出し可能な大きさに開放する開放カバーを設け、上記巻取りボックス内に取外し可能に設けた巻取り軸支持部材を巻取り軸とともに取出し可能に形成し、
上記可動框を、巻取りボックス内からの巻取り軸及び巻取り軸支時部材の取外しに際して、上記インナーレールが第２位置にある状態で該インナーレールに沿って該可動框をスクリーン枠から該スクリーンとともに巻取りボックス内に導入可能とし、且つ該ボックス内を通して外部に取出し可能とし、
上記巻取り軸に、巻取用のスプリングの付勢力を一時的に不作用にする固定手段を付設した、
ことを特徴とする巻取り式スクリーン装置。
【請求項２】
請求項１に記載の巻取り式スクリーン装置におけるスクリーンの交換方法であって、
上記巻取りボックスの開放カバーを開放して、巻取り軸のスプリングの付勢力を上記固定手段により一時的に不作用とし、
上記巻取り軸支持部材を巻取り軸とともに該巻取りボックスから取出し、
次いで、上記インナーレールを、上記枠本体内における第１位置から第２位置に変化させた状態において、該インナーレールに沿って上記可動框を上記スクリーン枠からスクリーンとともに上記巻取りボックス内に導入して、該可動框を巻取りボックスを通して外部に取出し、
続いて、交換しようとする既設スクリーンの先端を上記可動框から取外すとともに、該スクリーンの基端を巻取り軸から取外し、
しかる後に、新たな交換用スクリーンの先端を可動框に固定するとともに、該スクリーンの基端を巻取り軸に固定する、
ことを特徴とする巻取り式スクリーン装置におけるスクリーンの交換方法。
【発明の詳細な説明】
【技術分野】
【０００１】
本発明は、スクリーンの交換を容易にした巻取り式スクリーン装置及び該装置におけるスクリーンの交換方法に関するものである。
【背景技術】
【０００２】
従来より、スクリーンの一端をスクリーン枠に摺動自在の可動框に固定するとともに、上記スクリーンの他端を巻取りボックス内においてスプリングの付勢力で回転する巻取り軸に固定し、該付勢力で巻取り軸に上記スクリーンを巻取るようにした巻取り式スクリーン装置は、特に例示するまでもなく一般に広く知られている。この種のスクリーン装置では、スクリーンに破れや解れ等が生じ、あるいは長期間の使用により汚れてしまい、該スクリーンを交換する必要がある場合に、概して、スクリーンを巻付けた巻取り軸ごと交換するか、あるいは巻取りボックスごと交換する方法で対応していた。しかしながら、これらの方法では、スクリーン以外の交換する必要がない部材も交換することになってしまうため、無駄が多いばかりでなく、スクリーンの交換のためのコストも高くなってしまうという問題点があった。
而して、ユーザー自身でスクリーンを交換することは可能であるが、その場合に、既設のスクリーンを巻取り軸から取外すことができたとしても、その巻取り軸に新しいスクリーンを貼り付けるには、該スクリーンが皺にならないように真っ直ぐの状態で巻取り軸に取付ける必要があり、また巻取用のスプリングの付勢力も調整する必要があり、それらの作業には熟練を要するため、このような方法でユーザー自身がスクリーンのみを交換するのは極めて困難であった。
【０００３】
また、上記スクリーンを巻取り軸あるいは巻取りボックスも含めてメーカーに送ることで、スクリーンのみを交換してもらうこともできるが、メーカーに巻取り軸等を取外して送付する手間がかかるだけでなく、スクリーンの交換及び返送に少なからず時間と費用がかかってしまうという問題点が指摘されている。
【０００４】
一方で、一般のユーザー自身がスクリーンのみを交換することができる方法があるにはあるが、従来の交換方法では、設置された状態のスクリーン装置からスクリーンのみを取外す必要があり、当該スクリーン装置が設置された場所の設置条件によっては、スクリーンの交換が困難になってしまう場合があった。
すなわち、既設のスクリーン装置からスクリーンのみを取外すに際しては、該スクリーンの先端及び基端をそれぞれ固定した可動框及び巻取り軸から該スクリーンを取外す必要があるが、上記スクリーン装置は、例えば高所や狭所にある建物開口部など、様々な設置条件下にある場所に取付けられるものであり、そのような場所に設置された既設のスクリーン装置から、前述したようなスクリーンのみを取外す作業を該スクリーン装置の周囲の限定された条件下のスペースで行うのは、一般のユーザーにとって困難な場合が多いばかりでなく危険を伴う場合も考えられ、やはりその作業には少なからず熟練を要し、必ずしも容易に交換できる方法とはいえないものであった。
如上に鑑みて、スクリーン装置が設置された場所の設置条件に影響されることなく、ユーザーが容易に且つ安全に、しかも安価にスクリーンのみを交換することができるような巻取り式スクリーン装置及び該装置におけるスクリーンの交換方法が要望されている。
【発明の開示】
【発明が解決しようとする課題】
【０００５】
本発明の技術的課題は、スクリーンの先端をスクリーン枠に沿って摺動自在の可動框に着脱自在に固定するとともに、該スクリーンの基端を巻取りボックス内においてスプリングの付勢力で回転する巻取り軸に着脱自在に固定して、該スクリーンの開閉方向に沿う上下端部を上記スクリーン枠にガイドさせながら、該スクリーンを上記スプリングの付勢力で巻取り軸に巻取るようにした横引きの巻取り式スクリーン装置において、既設のスクリーンの先端及び基端にそれぞれ固定した可動框及び巻取り軸とともに、該スクリーンを容易に上記巻取りボックスから取出し可能とすることにより、スクリーン装置が設置された場所の設置条件に影響されることなく、一般のユーザーが容易に且つ安全に、しかも安価にスクリーンのみを交換することができる巻取り式スクリーン装置及び該装置におけるスクリーンの交換方法を提供することにある。
【課題を解決するための手段】
【０００６】
上記課題を解決するための本発明は、スクリーンの先端をスクリーン枠に沿って摺動自在の可動框に着脱自在に固定するとともに、該スクリーンの基端を巻取りボックス内においてスプリングの付勢力で回転する巻取り軸に着脱自在に固定して、該スクリーンの開閉方向に沿う上下端部を上記スクリーン枠にガイドさせながら、該スクリーンを上記スプリングの付勢力で巻取り軸に巻取るようにした横引きの巻取り式スクリーン装置において、上記スクリーン枠が枠本体と一対のインナーレールとを備えるものとし、該インナーレールに上記スクリーンの開閉方向に沿う上下端部をガイドさせるとともに、上記可動框の両端部を摺動自在に支持させ、上記インナーレールを、上記枠本体内において、スクリーンの開閉操作に供する室外側の第１位置と、スクリーンの着脱を行う室内側の第２位置とに変位自在に構成し、上記巻取りボックスに巻取り軸及びその支持部材を取出し可能な大きさに開放する開放カバーを設け、上記巻取りボックス内に取外し可能に設けた巻取り軸支持部材を巻取り軸とともに取出し可能に形成し、上記可動框を、巻取りボックス内からの巻取り軸及び巻取り軸支時部材の取外しに際して、上記インナーレールが第２位置にある状態で該インナーレールに沿って該可動框をスクリーン枠から該スクリーンとともに巻取りボックス内に導入可能とし、且つ該ボックス内を通して外部に取出し可能とし、上記巻取り軸に、巻取用のスプリングの付勢力を一時的に不作用にする固定手段を付設したことを特徴とするものである。
【０００７】
また、上記課題を解決するための本発明の巻取り式スクリーン装置におけるスクリーンの交換方法は、上記巻取りボックスの開放カバーを開放して、巻取り軸のスプリングの付勢力を上記固定手段により一時的に不作用とし、上記巻取り軸支持部材を巻取り軸とともに該巻取りボックスから取出し、次いで、上記インナーレールを、上記枠本体内における第１位置から第２位置に変化させた状態において、該インナーレールに沿って上記可動框を上記スクリーン枠からスクリーンとともに上記巻取りボックス内に導入して、該可動框を巻取りボックスを通して外部に取出し、続いて、交換しようとする既設スクリーンの先端を上記可動框から取外すとともに、該スクリーンの基端を巻取り軸から取外し、しかる後に、新たな交換用スクリーンの先端を可動框に固定するとともに、該スクリーンの基端を巻取り軸に固定することを特徴としている。
【０００８】
上記構成を有する巻取り式スクリーン装置は、上記スクリーンを交換するに際し、巻取り軸や巻取りボックス等の交換不要な部材を交換する必要がないうえに、当該スクリーン装置が設置された場所の設置条件に影響されることなく、スクリーンのみを容易に且つ安全に、しかも安価に交換することができる。また、一連のスクリーンの交換作業自体をスクリーン装置の設置場所から離れた安全な場所で行うことができ、したがって、スクリーン装置が設置された場所の設置条件に影響されることなく、ユーザー自身がスクリーンのみを容易に且つ安全に交換することができる。
【００１１】
この場合、上記インナーレールが第１位置にあるときには、上記可動框が巻取りボックス内に導入されるのが阻止され、該インナーレールが第２位置にあるときのみに上記可動框が巻取りボックス内に導入されるので、当該スクリーン装置の開閉操作時において、該可動框が巻取りボックス内に誤って導入されてしまうなどの誤作動を抑止することができる。
【発明の効果】
【００１２】
以上に詳述した本発明の巻取り式スクリーン装置及び該装置におけるスクリーンの交換方法によれば、既設のスクリーンの先端及び基端にそれぞれ固定した可動框及び巻取り軸とともに、該スクリーンを容易に上記巻取りボックス内から取出し可能とすることにより、当該スクリーン装置が設置された場所の設置条件に影響されることなく、一般のユーザーが容易に且つ安全にスクリーンのみを交換することができ、しかも、巻取り軸や巻取りボックス等の交換不要な部材を交換する必要がないので、結果的に、スクリーンのみを安価に交換することができる。
【発明を実施するための最良の形態】
【００１３】
本発明に係る巻取り式スクリーン装置及び該装置におけるスクリーンの交換方法を実施するための最良の形態を、図面に基いて詳細に説明するに、図１乃至図３は、本発明に係る巻取り式スクリーン装置の全体的な構成を示すもので、この実施例では、巻取り軸に巻回したスクリーンを横引きで開閉できるようにした巻取り式スクリーン装置を、建物開口部における遮光、断熱、目隠し、あるいは防虫等のための網戸に適用した場合について示している。
【００１４】
図１乃至図３に示している巻取り式スクリーン装置は、概略的には、建物開口部に設置するスクリーン枠２の一方の側枠を構成する巻取りボックス４内に、スクリーン１２を巻付けるための巻取り軸１４を回転自在に支持させ、該巻取りボックス４の上下に配置された横枠８，１０に、上記スクリーン１２の開閉操作のための可動框１６を摺動自在に支持させるとともに、該スクリーン１２の開閉方向の上下端部を該横枠８，１０にそれぞれ後述のインナーレール２０，２４を介してガイドさせることにより、該スクリーン１２をスクリーン枠２内において開閉自在としている。
【００１５】
より具体的には、上記スクリーン枠２は、一方の側枠を構成する上記巻取りボックス４の上下端に連結された上下の横枠８，１０と、該巻取りボックス４に対向する枠体を構成する側枠６とを相互に連結することにより構成され、上記巻取りボックス４の巻取り軸１４にコイルスプリング１５を内蔵させ、このコイルスプリング１５の捩りによる回転付勢力を巻取り軸１４による上記スクリーン１２の巻取りのための駆動源として、該スクリーン１２の開閉方向に沿う上下端部を上記スクリーン枠２の横枠８，１０内のインナーレール２０，２４にそれぞれガイドさせながら自動開放するように構成し、上記スクリーン１２の先端には、該スクリーン１２の開閉操作に供するところの可動框１６を、上記横枠８，１０に摺動自在に支持させ、該可動框１６に付設した掛け金具またはマグネット（図示省略）をスクリーン１２の張設時に側枠６に係合または磁着させることにより、スクリーン１２を張設状態に保持できるようにしている。
【００１６】
上記巻取りボックス４は、巻取り軸１４の全長に沿う前面部分を、着脱自在の開放カバー４Ａにより開放可能としている。すなわち、図３及び図４（ａ）からわかるように、上記巻取りボックス４における開放カバー４Ａは、該巻取りボックス４からスクリーン１２を導出するためのスリット５を形成している前面側のスリット縁４ａを含む、該巻取りボックス４の前面側部分によって形成されている。
この開放カバー４Ａは、上記スリット縁４ａの反対側縁４ｂを、上記巻取りボックス４の前縁に回動による開閉が可能で、且つ該巻取りボックス４から取外し可能に係止させているが、他の手段によって巻取りボックス４から取外し可能に固定することもでき、また、該開放カバー４Ａを巻取りボックス４から取外すことなく、該巻取りボックス４を開放した状態で保持させるように構成することもできる。
【００１７】
なお、上記開放カバー４Ａによる巻取りボックス４の開放範囲は、既設のスクリーン１２の先端及び基端にそれぞれ固定した可動框１６及び巻取り軸１４、並びに後述する巻取り軸支持部材３４，３６とともに、該スクリーン１２を容易に巻取りボックス４から取出し可能であり、且つ巻取り軸１４のスプリング１５の付勢力を一時的に不作用とし、あるいは不作用を解除するための作業の障害にならない範囲として、自由に選定することができるが、巻取り軸１４、可動框１６及びスクリーン１２等の容易な巻取りボックス４からの取出しを考慮すると、上記スリット５の前面側のスリット縁４ａもカバー４Ａの一部とするのが望ましい。
【００１８】
上記スクリーン枠２を構成する上下の横枠８，１０は、図２に示すように、それぞれ枠本体１８，２２と一対のインナーレール２０，２４とを備えている。なお、これらの横枠８及び横枠１０の構成は実質的に同一であるから、以下の説明においては、特に説明が必要である場合を除き、上部の横枠８に関連する構成についてのみ記載することとし、横枠１０に関連する構成についての説明は省略する。
【００１９】
上記横枠８を構成する枠本体１８は、その長手方向に沿う両内側壁１８ａ，１８ａの内面の対向位置にそれぞれ係合壁１８ｂ，１８ｂが形成されており、それらの係合壁１８ｂ，１８ｂの端縁間には開溝１８ｃが形成されている。
一方、上記インナーレール２０は、その長手方向に沿う平行な一対の側壁２０ａ，２０ａの両縁部に、上記枠本体１８における係合壁１８ｂ，１８ｂに係合する係合鍔部２０ｂ，２０ｂと、上記可動框１６の両端部に設けた後述する係合鉤１６ｂ，１６ｂと相互に係合する係合突条２０ｃ，２０ｃとがそれぞれ形成されている。また、該係合突条２０ｃ，２０ｃを設けた側の側壁端には、その長手方向の中央に沿ってスリット２０ｄが形成されており、該スリット２０ｄにおいて、上記スクリーン１２の開閉方向に沿う上下端部に付設した係止部材２６を係止させることにより、該スクリーン１２の開閉方向に沿う上端部をガイドするようにしている。
【００２０】
そして、上記枠本体１８の係合壁１８ｂ，１８ｂに、上記インナーレール２０の係合鍔部２０ｂ，２０ｂを相互に係合させることにより、該枠本体１８における係合壁１８ｂ，１８ｂ間の開溝１８ｃに、上記インナーレール２０を、スクリーン１２の開閉操作に供する室外側の第１位置（図４（ａ）（ｂ）参照）と、スクリーン１２の着脱を行う室内側の第２位置（図５（ａ）（ｂ）参照）とに変位自在に保持させている。そして、上記インナーレール２０が第１位置にあるときには、上記可動框１６の緩衝部材１６ａが巻取りボックス４の背面側の壁部４Ｂの端部に衝当することより、可動框１６が巻取りボックス４内に導入されるのが阻止され、該インナーレール２０が第２位置にあるときのみに上記可動框１６が巻取りボックス４内に導入されるので、当該スクリーン装置の開閉操作時において、該可動框１６が巻取りボックス４内に導入されてしまうなどの誤作動を抑止することができる。なお、上記インナーレール２０，２４は、可動框１６を開閉する際の操作力で第１位置に押え付けられるので、特に第１位置や第２位置に保持させるための手段を設ける必要はないが、その動作を安定させるために、第１位置及び第２位置の一方又は双方に保持させるための手段を付設することもできる。また、上記開放カバー４Ａのスリット縁４ａも、該開放カバー４Ａの閉鎖時に可動框１６が衝当するように形成することができる。
【００２１】
上記スクリーン１２は、図２に示すように、その開閉方向に沿う上下端部にそれぞれ係止部材２６，２６を付設しており、該係止部材２６，２６を上記横枠８，１０内のインナーレール２０，２４のスリット２０ｄ，２４ｄの内縁に係止させることにより、該インナーレール２０，２４にスクリーン１２の開閉方向に沿う上下端部をガイドさせている。また、図３乃至図６からわかるように、該スクリーン１２の先端には、上記可動框１６に固定するための係合部材２８を付設しており、該係合部材２８を可動框１６に形成した後述する係合溝１６ｃに係合させることにより、該スクリーン１２の先端を可動框１６に着脱自在に固定している。
上記係止部材２６及び係合部材２８としては、例えば、一側端に単純な突条部を有する合成樹脂の帯条部材ばかりでなく、スライドファスナーの相互に接合される半体の一方、あるいはそれに相当するような部材をそのまま利用することができる。
【００２２】
上記可動框１６は、図２に示すように、その長手方向の両端部に、室内側及び室外側の面に沿って延び、先端を略鉤形に相対峙させて立設することにより、上記横枠８，１０におけるインナーレール２０，２４の係合突条２０ｃ，２４ｃに係合させるようにした係合鉤１６ｂ，１６ｂが形成されている。また、該可動框１６の長手方向に沿う一側面には、図３乃至図６からわかるように、上記スクリーン１２に付設した係合部材２８を係合するための係合溝１６ｃが形成されており、該係合溝１６ｃの内底における係合部１６ｄに上記係合部材２８を係合させることにより、上記スクリーン１２の先端を可動框１６に着脱自在に固定している。
そして、該可動框１６は、それを上記スクリーン１２等とともに巻取りボックス４から取出すことができるように構成し、すなわち、巻取軸１４等を巻取ボックス４から取外した状態で、上記横枠８，１０におけるインナーレール２０，２４を室内側の第２位置に移動させると、可動框１６を該インナーレール２０，２４に沿って上記巻取りボックス４内に導入することができ、且つ該巻取りボックス４内を通して外部に取出すことができる。そのため、該可動框１６は、この取出しを可能にする程度の寸法（厚さやスクリーン１２の開閉方向の幅等）を有するものとして形成されている（図５及び図６参照）。
【００２３】
上記巻取り軸１４は、図１に明確に示すように、上記巻取りボックス４の上下端のブラケット３０，３２に、両端をそれぞれ巻取り軸支持部材３４，３６を介して回転自在に支持されている。該巻取り軸１４は、その内部に固定軸３８を挿通しており、該巻取り軸１４から上方に突出する固定軸３８の一端を、上記巻取りボックス４の上端の巻取り軸支持部材３４を介してブラケット３０に固定的に支持させ、上記固定軸３８にスプリング１５の一端を固定すると共に、該スプリング１５の他端を、上記固定軸３８に回転自在で巻取り軸１４には固定したスプリング受け４２に固定的に取り付けている。したがって、スクリーン１２の巻取り軸１４は、巻取り軸支持部材３４に固定された固定軸３８にスプリング１５を介して連結されている。
【００２４】
上記巻取り軸１４における巻取り軸支持部材３４は、上記スクリーン１２の着脱に際して上記巻取りボックス４内から巻取り軸１４とともに取外し可能に設けられており、また、該巻取り軸支時部材３４には、上記スクリーンの着脱に際し、上記スプリング１５によるスクリーン１２の巻取りのための付勢力を一時的に不作用にする固定手段を構成するビス４４を螺設している。このビス４４は、上記可動框１６を巻取りボックス４に対向する側枠６に保持させたスクリーン１２の全張設状態において、上記巻取りボックス４におけるカバー４Ａの開放部に臨む位置に来ることが望ましく、上記巻取り軸１４に螺挿してそれを該巻取り軸１４の内部に挿通した固定軸３８に止着することにより、上記スプリング１５から巻取り軸１４に付与されたスクリーン１２の巻取り方向の付勢力が一時的に不作用になるようにしている。
【００２５】
なお、本実施例においては、上記スクリーン１２の長さを、可動框１６を上記巻取りボックス４に対向する側枠６に保持させたスクリーン１２の張設状態において、上記スプリング１５によるスクリーン１２の巻取りのための付勢力を一時的に不作用にする固定手段としてのビス４４が、カバー４Ａの開放部に臨む位置に来るように設けているが、これは、上記巻取り軸１４において、上記ビス４４がスクリーン１２の巻取りに伴って該スクリーン１２の下に隠れる場所に螺挿されているから、またビス４４の螺動を容易にするためであり、固定手段としての上記ビス４４をスクリーン１２の巻取りによって隠れない場所に設けて、該スクリーン１２が任意の開放位置にあるときにスプリング１５の付勢力を一時的に不作用にできるようにすれば、該スクリーン１２は、少なくとも可動框１６を上記巻取りボックス４に対向する側枠６に保持させることができる程度の長さであれば、自由に設定することができる。
ここで、上記スプリング１５によるスクリーン１２の巻取りのための付勢力を一時的に不作用にする固定手段は、上記ビス４４に限るものではなく、簡易に巻取り軸１４を固定することができる他の手段を採用することができる。
【００２６】
上記構成を有する巻取り式スクリーン装置におけるスクリーン１２を交換するに際しては、先ず、上記可動框１６を巻取りボックス４に対向する側枠６に保持させることにより上記スクリーン１２を全張設状態とし（図３参照）、次いで上記巻取りボックス４の前面の開放カバー４Ａを開放し（図４（ａ）及び図７参照）、該巻取りボックス４における開放カバー４Ａの開放部から、上記巻取り軸１４に螺設したビス４４を締めて、該巻取り軸１４をその内部に挿通した固定軸３８に止着させることにより、上記スプリング１５によるスクリーン１２の巻取りのための付勢力を不作用にして、上記巻取り軸１４を一時的に固定する（図８参照）。そして、上記巻取りボックス４内に取外し可能に設けた巻取り軸支時部材３４，３６を巻取り軸１４とともに取出し（図５（ａ）参照）、次いで、上記横枠８，１０のインナーレール２０，２４を、上記枠本体１８，２２におけるスクリーン１２の開閉操作に供する室外側の第１位置（図４（ａ）（ｂ）参照）から、該スクリーン１２の着脱を行う室内側の第２位置（図５（ａ）（ｂ）参照）に変位させ、その状態において、該インナーレール２０，２４に沿って上記可動框１６をスクリーン１２とともに巻取りボックス４内に導入するとともに（図５，図６及び図９参照）、該可動框１６を巻取りボックス４内を通して外部に取出す。そして、交換しようとする既設スクリーン１２の先端を、上記可動框１６の係合溝１６ｃ内の係合部１６ｄに係合した係合部材２８の係合を解除することにより該可動框１６から取外すと共に、該スクリーン１２の基端を巻取り軸１４から取外す（図１０参照）。
以上のような極めて容易な手順により、既設のスクリーン１２をスクリーン装置から取外すことができる。
【００２７】
このように、既設のスクリーン１２の先端及び基端にそれぞれ固定した可動框１６及び巻取り軸１４とともに、該スクリーン１２を容易に上記巻取りボックス４内から取出し可能としているので、以上の一連のスクリーン１２の交換作業自体を、当該スクリーン装置の設置場所から離れた安全な場所で行うことができ、したがって、該スクリーン装置が設置された場所の設置条件に影響されることなく、ユーザー自身がスクリーン１２のみを容易に且つ安全に交換することができる。
【００２８】
そして、これらの手順の後に、交換用の新しいスクリーン１２の先端に付設した係合部材２８を上記可動框１６の係合溝１６ｃに係合させることにより、該スクリーン１２の先端を可動框１６に固定するとともに、該スクリーン１２の基端を巻取り軸１４に固定する。
上記の手順に次いで、交換用の新しいスクリーン１２の先端に固定した可動框１６を、上記横枠８，１０のインナーレール２０，２４が枠本体１８，２２における室内側の第２位置にある状態において、上記巻取りボックス４内を通して上記横枠８，１０内に導き、該可動框１６の係合鉤１６ｂ，１６ｂをインナーレール２０，２４の係合突条２０ｃ，２０ｃに係合させることにより、該可動框１６の両端部をインナーレール２０，２４に摺動自在に支持させるとともに、上記スクリーン１２の開閉方向に沿う上下端部に付設した係止部材２６を上記インナーレール２０，２４のスリット２０ｄ，２４ｄに係合させることにより、該インナーレール２０，２４にスクリーン１２の開閉方向に沿う上下端部をガイドさせ、それから上記巻取り軸１４を巻取り軸支持部材３４，３６を介して巻取りボックス４の上下端のブラケット３０，３２に回転自在に支持させ、その状態で上記可動框１６を側枠６に保持させて、上記スクリーン１２が全面的に緊張せしめられた状態において、上記巻取り軸１４における上記固定軸３８に止着したビス４４を弛めることにより、該巻取り軸１４のスプリング１５の一時的な不作用を解除する。
以上のような極めて容易な手順により、上記スクリーン１２の交換作業が完了する。
【００２９】
上記構成を有する巻取式スクリーン装置及び該装置におけるスクリーン１２の交換方法によれば、既設のスクリーン１２の先端及び基端にそれぞれ固定した可動框１６及び巻取り軸１４とともに、該スクリーン１２を容易に上記巻取りボックス４内から取出し可能としているので、当該スクリーン装置が設置された場所の設置条件に影響されることなく、一般のユーザーが容易に且つ安全にスクリーン１２のみを交換することができ、しかも、巻取り軸１４や巻取りボックス４等の交換不要な部材を交換する必要がないので、結果的に、スクリーン１２のみを安価に交換することができる。
【００３０】
そのうえ、上記スクリーン枠２を構成する上下の横枠８，１０が枠本体１８，２２と一対のインナーレール２０，２４とを備えるものとして、該インナーレール２０，２４に上記スクリーン１２の開閉方向に沿う上下端部をガイドさせるとともに、上記可動框１２の両端部を摺動自在に支持させ、上記インナーレール２０，２４を、上記枠本体１８，２２内において、室外側の第１位置と室内側の第２位置とに変位自在に構成して、上記インナーレール２０，２４が第１位置にあるときには、上記可動框１６が巻取りボックス４内に導入されるのが阻止され、該インナーレール１２が第２位置にあるときのみに上記可動框１６が巻取りボックス４内に導入されるように構成しているので、当該スクリーン装置の開閉操作時において、該可動框１６が巻取りボックス４内に誤って導入されてしまうなどの誤作動を抑止することができる。
【００３１】
ここで、上述した実施例においては、上記スクリーン枠２を構成する上下の横枠８，１０を枠本体１８，２２と一対のインナーレール２０，２４とを備えるものとして構成し、該インナーレール２０，２４を、上記枠本体１８，２２内において、スクリーン１２の開閉操作に供する室外側の第１位置と、スクリーン１２の着脱を行う室内側の第２位置とに変位自在としているが、それに限定されるものではなく、上記可動框１６を、例えば、上記巻取りボックス４における背面側の壁部４Ｂに衝当することなく、着脱自在のストッパ等に衝当させ、そのストッパを取外した状態で上記横枠８，１０から巻取りボックス４内に導入でき、且つ該巻取りボックス４内を通して外部に取出すことができる程度の寸法（厚さやスクリーンの開閉方向の幅等）に形成するなど、上記横枠８，１０からスクリーン１２とともに巻取りボックス４内に導入可能で、且つ該巻取りボックス４内を通して外部に取出し可能に形成することにより、上記横枠８，１０を単体の枠体で構成することができる。
【図面の簡単な説明】
【００３２】
【図１】本発明に係る巻取り式スクリーン装置の部分破断正面図である。
【図２】図１の側断面図である。
【図３】図１の平断面図である。
【図４】（ａ）はスクリーンの取外し手順における巻取りボックスの開放カバーを開放した態様を説明する平断面図、（ｂ）は（ａ）の状態におけるスクリーン枠の枠本体内のインナーレールの位置を説明する部分側断面図である。
【図５】（ａ）はスクリーンの取外し手順における、巻取りボックス内から巻取り軸及び巻取りボックスを取出すとともに、スクリーン枠のインナーレールに沿って可動框を巻取りボックス内に導入する態様を説明する平断面図、（ｂ）は（ａ）の状態におけるスクリーン枠の枠本体内のインナーレールの位置を説明する部分側断面図である。
【図６】スクリーンの取外し手順における、可動框を巻取りボックス内に導入した状態を説明する平断面図である。
【図７】スクリーンの取外し手順における図４の（ａ）と同様の状態での斜視図である。
【図８】スクリーンの取外し手順における図５の（ａ）と同様の状態での斜視図である。
【図９】スクリーンの取外し手順における図６と同様の状態での斜視図である。
【図１０】スクリーンの取外し手順における既設のスクリーンから可動框と巻取り軸を取外して交換用スクリーンに交換する態様を説明する斜視図である。
【符号の説明】
【００３３】
２    スクリーン枠
４    巻取りボックス
４Ａ  開放カバー
６    側枠
８，１０    横枠
１２    スクリーン
１４    巻取り軸
１５    コイルスプリング
１６    可動框
１８，２２    枠本体
２０，２４    インナーレール
３４，３６    巻取り軸支持部材
４４    ビス
【図１】
0004637796.tif 000002
【図２】
0004637796.tif 000003
【図３】
0004637796.tif 000004
【図４】
0004637796.tif 000005
【図５】
0004637796.tif 000006
【図６】
0004637796.tif 000007
【図７】
0004637796.tif 000008
【図８】
0004637796.tif 000009
【図９】
0004637796.tif 000010
【図１０】
0004637796.tif 000011